(57)【要約】  【課題】  ２桁デジタル表示部を用いて、複数種類の異常状態の表示とその異常の発生の順位を、最新のものから順に遡って明瞭に表示できるようにした機器の異常表示方法を提供する。  【解決手段】  機器に生じる複数種類の異常状態に対応する異常コード及びそれが生じた順位に対応する順位コードを含む異常表示関連データを格納する記憶部３９と、任意の情報を表示するデジタル表示部とを備えており、記憶部に格納された異常コード及び順位コードをデジタル表示部にて表示するようにした機器の異常表示方法である。そして、デジタル表示部として２桁デジタル表示部３１を用い、異常状態が生じた順に記憶部３９に格納された異常表示関連データを最新のデータから順に遡って表示するとともに、順位コードと異常コードとを交互に表示する。  【選択図】    図２
2006349195.tif 000002
【特許請求の範囲】
【請求項１】
機器に生じる複数種類の異常状態に対応する異常コード及びそれが生じた順位に対応する順位コードを含む異常表示関連データを格納する記憶部と、任意の情報を表示するデジタル表示部とを備え、記憶部に格納された前記異常コード及び順位コードをデジタル表示部にて表示するようにした機器の異常表示方法であって、
前記デジタル表示部として２桁デジタル表示部を用い、前記異常状態が生じた順に記憶部に格納された異常表示関連データを最新のデータから順に遡って表示するとともに、前記順位コードと異常コードとを交互に表示するようにしたことを特徴とする機器の異常表示方法。
【請求項２】
前記順位コードと異常コードとは、予め定められた時間を空けて表示されることを特徴とする請求項１に記載の機器の異常表示方法。
【請求項３】
前記順位コードと異常コードとは、予め定められた時間づつ表示されることを特徴とする請求項１に記載の機器の異常表示方法。
【請求項４】
前記順位コードと異常コードとは、予め異常表示用スイッチとして定められたスイッチの操作で表示されることを特徴とする請求項１に記載の機器の異常表示方法。
【請求項５】
前記記憶部に格納された異常表示関連データは、前記予め消去用スイッチとして定められたスイッチの操作で消去されることを特徴とする請求項１に記載の機器の異常表示方法。
【発明の詳細な説明】
【技術分野】
【０００１】
本発明は、暖房機器、空調機器、給湯機などの機器の異常表示方法に関する。
【背景技術】
【０００２】
特許文献１にて開示されている暖房機器においては、循環ポンプを有する熱源機の温水が熱動弁を介して循環供給されて暖房する温水エアコンや温水床マットなどの暖房負荷を備えている。そして、熱源機に設けられた制御基板には、制御装置、運転表示灯、燃焼表示灯及び７セグメントのデジタル表示器などが設けられ、このデジタル表示器を用いて、エア抜き運転中である旨を表示する他に、熱源機に異常が発生したときにエラー記号等により異常表示も行えるものであった。
【特許文献１】特開２００２−１６２０５１号公報
【発明の開示】
【発明が解決しようとする課題】
【０００３】
ところで、機器においては、設定温度や室温などのように２桁の温度情報を表示するため、２桁デジタル表示器のみがデジタル表示器として搭載されている機器の場合、異常内容を表す２桁の異常コードの表示を行うことが可能であるが、如何なる内容の異常がどのような順で発生したかを最新のものから順に明確に表示できないものであった。また、上記した２桁デジタル表示器とは別に異常表示専用の表示器を設けるとコスト上昇を招くものである。
【０００４】
本発明は上述の実情に鑑みてなされたものであり、２桁デジタル表示部を用いて、複数種類の異常状態の表示とその異常の発生の順位を、最新のものから順に遡って明瞭に表示できるようにした機器の異常表示方法の提供を目的としている。
【課題を解決するための手段】
【０００５】
請求項１に記載の発明は、機器に生じる複数種類の異常状態に対応する異常コード及びそれが生じた順位に対応する順位コードを含む異常表示関連データを格納する記憶部と、任意の情報を表示するデジタル表示部とを備え、記憶部に格納された前記異常コード及び順位コードをデジタル表示部にて表示するようにした機器の異常表示方法であって、前記デジタル表示部として２桁デジタル表示部を用い、前記異常状態が生じた順に記憶部に格納された異常表示関連データを最新のデータから順に遡って表示するとともに、前記順位コードと異常コードとを交互に表示するようにしたことを特徴とする。
【０００６】
請求項２に記載の発明は、請求項１に記載の機器の異常表示方法において、前記順位コードと異常コードとは、予め定められた時間を空けて表示されることを特徴とする。
【０００７】
請求項３に記載の発明は、請求項１に記載の機器の異常表示方法において、前記順位コードと異常コードとは、予め定められた時間づつ表示されることを特徴とする。
【０００８】
請求項４に記載の発明は、請求項１に記載の機器の異常表示方法において、前記順位コードと異常コードとは、予め異常表示用スイッチとして定められたスイッチの操作で表示されることを特徴とする。
【０００９】
請求項５に記載の発明は、請求項１に記載の機器の異常表示方法において、前記記憶部に格納された異常表示関連データは、前記予め消去用スイッチとして定められたスイッチの操作で消去されることを特徴とする。
【発明の効果】
【００１０】
本発明による機器の異常表示方法によれば、２桁デジタル表示部を用いて、複数種類の異常状態の表示とその異常の発生の順位を最新のものから順に遡って明瞭に表示できるため、補修・点検時の異常箇所の確認が容易に、かつ、明確に行えるるとともに、通常は温度情報などの他の情報を表示する低廉な２桁デジタル表示器を利用して、複数の異常状態並びにそれが生じた順位情報の双方の表示が可能になる。
【発明を実施するための最良の形態】
【００１１】
以下、本発明の実施の形態を図１〜図３の図面に基づき説明する。図１は機器としてのヒートポンプ式空気調和装置全体の概略構成図である。
【００１２】
図１において、ヒートポンプ式空気調和装置Ｈは、ヒートポンプ式の室外ユニット１と、この室外ユニット１に冷媒配管２、３により接続された室内ユニット４と、この室内ユニット４とは並列に前記室外ユニット１に冷媒配管５、６により接続された温水ユニット７とを備え、この温水ユニット７には複数系統の床暖房パネル８〜１０が温水配管１１、１２により接続される概略構成となっている。
【００１３】
前記室外ユニット１には、圧縮機、四方切り替え弁、室外側熱交換器、減圧装置などのヒートポンプ式冷凍サイクルの構成部品（何れも図示せず）が内蔵される共に前記室外側熱交換器に通風する室外側送風機（図示せず）が内蔵されている。そして、前記冷凍サイクルの冷媒としてＨＦＣ冷媒が用いられている。
【００１４】
前記室内ユニット４には、室外ユニット１からの冷媒が循環供給される室内側熱交換器及び室内側送風機（何れも図示せず）などが内蔵されており、この室内ユニット４は、室内の壁に掛けられて設置され、室内側送風機で内部に取り込んだ室内空気を室内側熱交換器で熱交換して調和空気とし、この調和空気を室内へ吐出して冷風又は温風による冷暖房を行う。
【００１５】
前記温水ユニット７は、水位センサ１３付きの膨張タンク１４、循環ポンプ１５及び冷媒対水熱交換器１６が内蔵され、前記冷媒対水熱交換器１６は、室外ユニット１に配管接続された冷媒側コイル１６Ａと、この冷媒側コイル１６Ａに熱交換関係に一体化された温水側コイル１６Ｂとで構成されている。
【００１６】
また、１７は往き側の温水循環経路を複数に分岐する往きヘッダー、１８〜２０は往きヘッダー１７の分岐経路毎に設けられた熱動弁にてなる流量調整弁、２１は戻りヘッダーである。そして、前記戻りヘッダー２１、膨張タンク１４、循環ポンプ１５、冷媒対水熱交換器１６の温水側コイル１６Ｂ及び往きヘッダー１７は、その順に内部配管２２Ａ、２２Ｂにて接続されることで、前記温水側コイル１６Ｂで加熱された暖房用循環水（温水）を前記床暖房パネル８〜１０に循環供給するための温水暖房回路Ｘが形成される。２３はバイバス管路である。
【００１７】
２４は冷媒対水熱交換器１６の温水側コイル１６Ｂで加熱昇温された暖房用循環水の往き側温度を検出する往き温度検出器、２５は暖房循環水の戻り側温度を検出する戻り温度検出器、２６は前記冷媒側コイル１６Ａに流れる冷媒温度を検出する冷媒温度検出器であり、それらは何れもサーミスタが用いられている。
【００１８】
２７は台所等に設置されるメインリモコンであり、このメインリモコン２７には往き側の暖房用循環水の制御温度を設定する温度設定摘み２８、運転スイッチ２９、運転ランプ３０等が設けられると共に、７セグメントの２桁デジタル表示部３１が設けられている。
【００１９】
３２〜３４は前記床暖房パネル８〜１０に対応して床暖房を行う部屋に設置する床暖房リモコンであり、これら各床暖房リモコン３２〜３４には、運転スイッチ３２Ａ〜３４Ａや室温センサ（図示せず）等がそれぞれ設けられている。
【００２０】
また、図１に示すように、前記温水ユニット７の内部には、制御基板Ｋが設けられ、この制御基板Ｋには、制御装置としてのマイクロコンピュータ（以下マイコンという）３５、水張り動作をするための水張りスイッチ３６、応急運転スイッチ３７、全ての流量調整弁１８〜２０を開放するための弁開放スイッチ３８などが設けられ、図示しない基板端子には、前記循環ポンプ１５、流量調整弁１８〜２０、前記各温度検出器２４〜２６、メインリモコン２７、床暖房リモコン３２〜３４及び前記水位センサ１３等が電気結線されている。
【００２１】
図２は制御装置のブロック図である。この図２に示すように、前記マイコン３５には、ＣＰＵ、ＲＡＭ、ＲＯＭなどが内蔵されるとともに、上述した各床暖房リモコン３２〜３４、各温度検出器２４〜２６、水張りスイッチ３６、応急運転スイッチ３７、弁開放スイッチ３８及び水位センサ１３からの信号が入力されるとともに、室外ユニット１、循環ポンプ１５、流量調整弁１８〜２０、メインリモコン２７等に制御信号が出力される。また、前記マイコン３５には、異常が発生した場合に、その異常内容を示すコード、即ち、異常コード（例えば、Ａ１、Ａ２、Ａ３、Ａ４・・・）と、その順位を示すコード、即ち、順位コード（例えば、００、０１、０２、０３・・・）を、最大１０個記憶する電気的消去可能な記憶装置（記憶部）としてのＥＥＰＲＯＭ３９が接続されている。
【００２２】
先ず、床暖房パネル８で床暖房を行う場合、先ずメインリモコン２７の運転スイッチ２９を操作すると、運転ランプ３０が点灯する。その運転信号が温水ユニット７の制御基板Ｋ上のマイコン３５に入力され、そして、前記膨張タンク１４内の暖房用循環水の有無を検出する水位センサ１３からの水有り信号がマイコン３５に入力されると、このマイコン３５は、循環ポンプ１５を運転して暖房用循環水を循環させるとともに、室外ユニット１に暖房運転信号を指示して暖房運転を開始する。
【００２３】
そして、室外ユニット１が暖房運転を開始することで、その室外ユニット１の圧縮機が運転して高温、高圧のガス冷媒が冷媒対水熱交換器１６の冷媒側コイル１６Ａに供給され、温水側コイル１６Ｂを流れる暖房用循環水を約５０〜６０℃に加熱すると共に温水ユニット７の循環ポンプ１５を運転させる。
【００２４】
このとき、往き側温度検出器２４で検出される暖房用循環水の温度がメインリモコン２７の温度設定摘み２８で設定された設定温度になるように、マイコン３５が例えば圧縮機をインバータ制御することにより冷媒対水熱交換器１６での加熱量が制御され、前記循環ポンプ１５の運転によるバイパス管路２３を介する循環路内を温度が適度に調整された温水が循環する。
【００２５】
前記メインリモコン２７の運転スイッチ２９をオンした後、例えば、床暖房リモコン３２の運転スイッチ３２Ａをオンすると、それに対応している流量調整弁１８が開となり、加熱された暖房用循環水（温水）が温水ユニット７から床暖房パネル８に供給され、この床暖房パネル８が敷設された部屋の床暖房が行われることになる。
【００２６】
その後、前記した床暖房リモコン３２はそれに内蔵の室温センサ（図示せず）が室温上昇を検出し、そこで、温度偏差（室温−設定温度）が−１．１５℃（ｄｅｇ）を超えると、マイコン３５に出力しているアナログ出力電圧を２０Ｖ（ボルト）から９Ｖの範囲で変化させる。そして、マイコン３５は床暖房リモコン３２から出力されるアナログ電圧値に応じて、前記流量調整弁１８の通電による開時間をデューティ制御し、流量調整弁１８の開時間を２０分ごとに２０分間（連続）から３分間に制御し、温水の床暖房パネル８への供給を断続的にオン−オフさせて、その部屋の室温を設定された所望の温度に維持する。
【００２７】
また、別系統の床暖房パネル９、１０の床暖房運転も、前記した床暖房パネル８と同様の運転制御が行われる。
【００２８】
尚、温水ユニット７による暖房運転中において、室内ユニット４の専用リモコン（図示せず）の運転開始操作により、室外ユニット１から冷媒配管２、３を介して冷媒が室内ユニット４に供給され、この室内ユニット４では、室内側熱交換器とユニット内に取り込んだ室内空気とが熱交換されて温風となり、その温風を室内に吐出する室内ユニット４の暖房運転も可能であるが、このときには、室内ユニット４の冷房運転は不可である。また、室内ユニット４の冷房運転中は、前記温水ユニット７による床暖房暖房運転を不可としている。
【００２９】
また、メインリモコン２７により使用者が温水温度を変更設定しても、各部屋に設置している床暖房リモコン３２〜３４が出力する偏差（室温−設定温度）信号に応じて、各床暖房パネル８〜１０へ暖房用循環水（温水）を供給する流量調整弁１８〜２０の通電開時間を可変制御することで、各部屋とも使用者が設定した室温に維持される。
【００３０】
なお、温水ユニット７に関連する装置部分に異常が発生し、その異常が原因で流量調整弁１８〜２０が閉じて床暖房パネル８〜１０による床暖房運転が停止した際、サービスマンが応急運転スイッチ３７を押すと、室外ユニット１、循環ポンプ１５が運転を開始し、同時に熱流量制御弁１８〜２０が開動作して、床暖房運転が始まる。そのため、異常が発生して床暖房パネル８〜１０による床暖房運転が異常停止した場合にも、応急の床暖房運転を行うことが可能になる。
【００３１】
以下、温水ユニット７に関連する装置部分に異常が発生した際の異常の表示方法について、図３に基づき詳述する。
【００３２】
先ず、サービスマンがエラー表示スイッチとして予め設定されている水張りスイッチ３６を、３秒以上連続して押すと、マイコン３５はエラー表示スイッチとしての水張りスイッチ３６が３秒以上連続押しされたことを判断し、例えば、６０℃に設定されている設定温度の「６０」が表示されている状態のメインリモコン２７の２桁デジタル表示部３１の表示が、図３の（イ）に示すように、「００」と表示される。そして、この「００」の表示状態が５秒を経過すると、次に２桁デジタル表示部３１は、表示が３秒間に亘り消された状態となり、その後、最新の異常状態の内容が、例えば、戻り側温度検出器２５の故障による異常である場合には、図３の（ロ）に示すように、異常コードの「Ａ１」を点灯、或いは点滅させながら、それを約５〜１０秒間表示する。
【００３３】
ここで、前記記憶装置（記憶部）としてのＥＥＰＲＯＭ３９に、最新のものから順に複数の異常状態を示す複数の異常コードとそれらの順位コードが格納されている場合、前記２桁デジタル表示部３１での異常コード「Ａ１」の表示状態が、約５〜１０秒間を経過すると、一旦、その表示が消灯する。
【００３４】
そして、この消灯状態で約３〜５秒間経過すると、図３の（ハ）及び（二）に示すように、前記２桁デジタル表示部３１は、「０１」→「Ａ２」の順に表示し、更に、「０２」→「Ａ６」→「０３」→「Ａ４」→「０４」→「Ａｄ」→「００」と表示し、異常コードと順位コードとが、その間に消灯時間を挟んで、最新のものから順に遡り、かつ、交互に所定時間づつ表示されることになる。
【００３５】
次に、記憶装置（記憶部）としてのＥＥＰＲＯＭ３９に格納されている前記順位コードと異常コードを含む異常表示に係るデータを消去する場合、消去スイッチとして予め定められた応急運転スイッチ３７を約１０秒間連続押しすると、マイコン３５は順位コードと異常コードの異常表示に係るデータをＥＥＰＲＯＭ３９から消去する。
【００３６】
即ち、前記順位コードと異常コードとは、予め定められた時間（約３〜５秒）を空けて２桁デジタル表示部３１に表示される。
【００３７】
また、前記前記順位コードと異常コードとは、予め定められた時間（約５〜１０秒）づつ、２桁デジタル表示部３１に表示される。
【００３８】
また、前記順位コードと異常コードとは、予めエラー表示スイッチとして定められた水張りスイッチ３６の３秒以上の連続押し操作で２桁デジタル表示部３１に表示される。
【００３９】
また、記憶装置（記憶部）としてのＥＥＰＲＯＭ３９に格納されている前記順位コードと異常コードの異常表示に係るデータは、消去スイッチとして予め定められた応急運転スイッチ３７を約１０秒間連続押しすると、全て消去される。
【００４０】
以上の実施形態による異常表示方法では、温水ユニット７に生じる複数種類の異常状態に対応する異常コード及びそれが生じた順位に対応する順位コードを含む異常表示関連データを格納する記憶装置（記憶部）としてのＥＥＰＲＯＭ３９と、設定温度などの任意の情報を表示するデジタル表示部とを備えており、前記ＥＥＰＲＯＭ３９に格納された異常コード（例えば、Ａ１、Ａ２、Ａ３、Ａ４・・・）と、その順位を示す順位コード（例えば、００、０１、０２、０３・・・）をデジタル表示部にて表示するようにした表示方法である。そして、デジタル表示部として２桁デジタル表示部３１を用い、異常状態が生じた順にＥＥＰＲＯＭ３９に格納された異常表示関連データを最新のデータから順に遡って表示するとともに、順位コードと異常コードとを交互に表示するようにした方法であるから、２桁デジタル表示部３１を用いて、複数種類の異常状態の表示とその異常の発生の順位を最新のものから順に遡って明瞭に表示できるため、補修・点検時の異常箇所の確認が容易に、かつ、明確に行えるるとともに、通常は温度情報などの他の情報を表示する低廉な２桁デジタル表示器を利用して、複数の異常状態並びにそれが生じた順位情報の双方の表示が可能になるものである。
【００４１】
なお、以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００４２】
【図１】本発明の機器の異常表示方法にかかる機器としてのヒートポンプ式空気調和装置全体の概略構成図である。
【図２】制御装置のブロック図である。
【図３】表示状態を説明する説明図である。
【符号の説明】
【００４３】
７      温水ユニット
２７      メインリモコン
３１      ２桁デジタル表示部
３５      マイクロコンピュータ
３６      水張りスイッチ
３７      応急運転スイッチ
３９      ＥＥＰＲＯＭ（記憶部）
【図１】
2006349195.tif 000003
【図２】
2006349195.tif 000004
【図３】
2006349195.tif 000005